(57)【特許請求の範囲】
【請求項１】
排除対象生物を排除する生物排除装置であって、
前記排除対象生物の原音声及び原音声の特徴的な音響特性を用いた擬似音声を超音波信号に重畳した音声を、
前記排除対象生物が発する音声の音圧レベルと同等又は同等以上の音圧レベルとして放射するものであり、
前記排除対象生物の原音声は、
前記排除対象生物の「警戒時」、「回避準備時」、「回避行動時」、及び、「恐怖時」に発する原音声の単体又はいずれかの組み合わせによる音声パターンを用い、
前記排除対象生物の擬似音声は、
前記排除対象生物の「警戒時」、「回避準備時」、「回避行動時」、及び、「恐怖時」に発する原音声の単体又はいずれかの組み合わせによる音声パターンの特徴的な周波数特性の変化を再現するように作成し、
前記排除対象生物の原音声及び擬似音声は、
自動的に組み合わされて、ランダム出力されるようになっており、
前記超音波信号の振幅変調時に外来ノイズによって発生したパルス性ノイズも前記音声パターンと同時に前記排除対象生物に暴露する
生物排除装置。
【請求項２】
排除対象生物を排除する生物排除装置であって、
音放射が可能な再生手段を有し、
前記排除対象生物の原音声及び原音声の特徴的な音響特性を用いた擬似音声を超音波信号に重畳した音声を、
前記再生手段から、前記排除対象生物が発する音声の音圧レベルと同等又は同等以上の音圧レベルとして放射し、前記排除対象生物に対して直接的又は間接的に暴露するものであり、
前記再生手段は、
ランジュバン素子と、
前記ランジュバン素子に取り付け、超音波の再生に必要な共振周波数の１／４波長相当に発生する音波の腹及び節に相当する部分に凸部を複数個設けた振動板と、を有している
生物排除装置。
【請求項３】
排除対象生物を排除する生物排除装置であって、
音放射が可能な再生手段を有し、
前記排除対象生物の原音声及び原音声の特徴的な音響特性を用いた擬似音声を超音波信号に重畳した音声を、
前記再生手段から、前記排除対象生物が発する音声の音圧レベルと同等又は同等以上の音圧レベルとして放射し、前記排除対象生物に対して直接的又は間接的に暴露するものであり、
前記再生手段は、
断面形状がドーム状のドーム振動板と、
前記ドーム振動板の一部に塗布した制振材と、を備え、
前記ドーム振動板を複数個用いて構成している
生物排除装置。
【請求項４】
音放射が可能な再生手段を有し、
前記再生手段から放射した前記音声を、前記排除対象生物に対して直接的又は間接的に暴露する
請求項１に記載の生物排除装置。
【請求項５】
前記超音波信号の周波数帯域を、１５ｋＨｚ以上とした
請求項１〜４のいずれか一項に記載の生物排除装置。
【請求項６】
前記排除対象生物の原音声は、
前記排除対象生物の「警戒時」、「回避準備時」、「回避行動時」、及び、「恐怖時」に発する原音声の単体又はいずれかの組み合わせによる音声パターンを用いている
請求項２又は３に記載の生物排除装置。
【請求項７】
前記排除対象生物の擬似音声は、
前記排除対象生物の「警戒時」、「回避準備時」、「回避行動時」、及び、「恐怖時」に発する原音声の単体又はいずれかの組み合わせによる音声パターンの特徴的な周波数特性の変化を再現するように作成している
請求項２、３又は６に記載の生物排除装置。
【請求項８】
前記排除対象生物の原音声及び擬似音声は、
自動的に組み合わされて、ランダム出力される
請求項６に従属する請求項７に記載の生物排除装置。
【請求項９】
前記音声パターンの一つ当たりの再生時間の長さを５秒以下とする
請求項８に記載の生物排除装置。
【請求項１０】
前記超音波信号の振幅変調時に外来ノイズによって発生したパルス性ノイズも前記音声パターンと同時に前記排除対象生物に暴露する
請求項８又は９に記載の生物排除装置。
【請求項１１】
前記再生手段は、
ホーン部及び圧電素子を備えた空中超音波素子を複数個組み合わせて構成している
請求項４に記載の生物排除装置。
【請求項１２】
前記再生手段の音声の放射方向に、一枚以上の反射板を備えた
請求項２〜４のいずれか一項に記載の生物排除装置。
【発明の詳細な説明】
【技術分野】
【０００１】
本発明は、排除したい哺乳類を含む動物類（以下、「排除対象生物」と称す）を排除する生物排除装置であって、特に音を利用した生物排除装置に関するものである。
【背景技術】
【０００２】
従来から、害獣（例えば、ゴキブリやネズミ、鳥類（カラスやムクドリ、ハト）などの排除対象生物）の排除を目的とした生物排除装置が開示されている。従来の生物排除装置の１つには、異なる超音波帯域の信号を周期的に変化させて、空中に放射する電気音響変換放射器（スピーカ）を備えた構成を採用したものが開示されている。なお、以下の説明において、「排除」には、「駆除」、「忌避」、「回避」が含まれるものとする。
【０００３】
そのようなものとして、「それぞれ異なる周波数帯域を有する複数の超音波送波器と、上記各超音波送波器別に駆動するドライブ回路とを備え、予め定められた複数の駆動モードのうちから１つの駆動モードを選択すると共に、上記駆動モードに基づいて上記ドライブ回路を制御する制御部を備え、上記各モードには上記複数の超音波送波器のうちから少なくとも１つの超音波送波器を不規則に選択し、上記ドライブ回路の駆動周波数、および駆動時間を不規則に制御するランダム帯を設けたことを特徴とする超音波を利用した有害動物駆除装置」が提案されている（例えば、特許文献１参照）。
【０００４】
この特許文献１に記載の有害動物駆除装置では、放射器を備えた製品に搭載しているＩＣ等の記憶装置に、予めプログラミングしていた時間と周期に応じて超音波信号を放射するようにしており、音放射を提示する対象物が音に対して慣れるなどの状態が講じないための信号処理を行っていた。
【０００５】
また、有害動物の一例として、様々な業種から排除要求の多いものとして「鳥類」が挙げられる。「鳥類」としては、近年、カラスやムクドリ、ハトなどが対象になっている。このうち、カラスは「鳥類」の中でも高い知能を持っているということは周知であり、専門の研究結果から、カラスは鳥間でのコミュニケーション能力にも長けていることが判明している。
【０００６】
従来の生物排除装置には、カラスの音声を用いて、カラスの音声をスピーカから大きな音圧レベルで放射することで直接的にカラスへ暴露させることで、カラスに対して回避行動をさせるようにしたものもあった（例えば、特許文献２参照）。
【先行技術文献】
【特許文献】
【０００７】
【特許文献１】特開平７−１０７８９３号公報（例えば、２、３ページ）
【特許文献２】特許第５１３５５０７号公報（例えば、実施例１）
【発明の概要】
【発明が解決しようとする課題】
【０００８】
超音波帯域の周波数まで聞き取ることが可能な動物が多く存在することから、特許文献１に記載の技術では、排除対象生物のうち超音波帯域を聞き取る能力を有している動物に対しては、ある一定期間の効果を発揮することができる。
しかしながら、超音波帯域を利用していない、比較的高等なコミュニケーションを有するカラス等の排除対象生物には大きな影響を与えていない等の問題点が有った。
また、超音波信号の発振周波数を変化させたとしても一定のリズムで変化していることには変わりないので、ある程度の時間暴露によって、排除対象生物に、音そのものへの「慣れ」が生じてしまうという問題点もあった。
【０００９】
特許文献２に記載の技術では、排除等に必要な音響信号を、排除対象生物に必ず聞こえさせることが重要になっている。そこで、排除対象生物の音声と同等、又はそれ以上の音圧レベルで音響信号を放射する必要がある。そのため、音放射させるためのスピーカなどからは終夜問わず、排除対象生物の音声以上の音圧レベルの音声が大音量で放射されることになる。よって、生物排除装置の設置環境周囲には排除対象生物の排除に必要な音声信号が音放射されていることになるので、周辺の住民にも同等に暴露されて、設置環境が引き起こす「騒音」という問題を発生させていた。
【００１０】
この発明は、上述の課題を背景になされたもので、排除対象生物に対して、超音波に重畳した音声を直接又は間接的に暴露させるようにした生物排除装置を提供することを目的としている。
【課題を解決するための手段】
【００１１】
本発明に係る生物排除装置は、排除対象生物を排除する生物排除装置であって、前記排除対象生物の原音声及び原音声の特徴的な音響特性を用いた擬似音声を超音波信号に重畳した音声を、前記排除対象生物が発する音声の音圧レベルと同等又は同等以上の音圧レベルとして放射するものであり、前記排除対象生物の原音声は、前記排除対象生物の「警戒時」、「回避準備時」、「回避行動時」、及び、「恐怖時」に発する原音声の単体又はいずれかの組み合わせによる音声パターンを用い、前記排除対象生物の擬似音声は、前記排除対象生物の「警戒時」、「回避準備時」、「回避行動時」、及び、「恐怖時」に発する原音声の単体又はいずれかの組み合わせによる音声パターンの特徴的な周波数特性の変化を再現するように作成し、前記排除対象生物の原音声及び擬似音声は、自動的に組み合わされて、ランダム出力されるようになっており、前記超音波信号の振幅変調時に外来ノイズによって発生したパルス性ノイズも前記音声パターンと同時に前記排除対象生物に暴露するものである。
【発明の効果】
【００１２】
本発明に係る生物排除装置は、排除対象生物の原音声、危険時や恐怖時に発する原音声の周波数パターンで作成した人工音声（擬似音声）を用いて動物の本能に直接又は間接に訴えて害獣対策を行うことができる。そのため、本発明に係る生物排除装置によれば、動物の行動パターンを知らずに作成した人工的な音響信号を用いた従来品とは異なり、音声を発信する製品そのものの寿命が迎えるまでの長期間に亘って、害獣（有害動物）の排除が行える。
【図面の簡単な説明】
【００１３】
【図１】本発明の実施の形態１に係る生物排除装置の基本的な構成を示す基本ブロック概念図である。
【図２】２種類のカラスの音声の時間波形例を説明するための説明図である。
【図３】カラスの警戒から回避行動までを行わせるための疑似音声例を説明するための説明図である。
【図４】信号処理の一連の処理状態例を説明するための説明図である。
【図５】カラスが聞くことになる復調後の波形例を説明するための説明図である。
【図６】本発明の実施の形態１に係る生物排除装置の再生手段の一例を説明するための概略構成図である。
【図７】図６（Ｂ）に示した空中超音波発振子の集合体を一つの放射エリアとして、放射エリアの塊を４個集合させた空中超音波発振子の組み合せ例を示す概略構成図である。
【図８】１５ｋＨｚのランジュバン素子と、このランジュバン素子に取り付けられ、このランジュバン素子に同期して分割共振するように形成した凸部形状を成形した例えば方形の振動板１００と、を搭載したランジュバン式の発振方式を説明するための説明図である。
【図９】本発明の実施の形態１に係る生物排除装置の再生手段の他の一例を説明するための概略構成図である。
【図１０】１５ｋＨｚで駆動するように構成した各々の再生手段の出力−音圧周波数特性を示すグラフである。
【図１１】本発明の実施の形態１に係る生物排除装置の再生手段で再生したときの指向特性を説明するための説明図である。
【図１２】本発明の実施の形態２に係る生物排除装置の構成の一例を説明するための概略構成図である。
【発明を実施するための形態】
【００１４】
以下、図面に基づいてこの発明の実施の形態について説明する。なお、図１を含め、以下の図面では各構成部材の大きさの関係が実際のものとは異なる場合がある。また、図１を含め、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１５】
実施の形態１．
図１は、本発明の実施の形態１に係る生物排除装置１の基本的な構成を示す基本ブロック概念図である。以下、図１を参照しながら、生物排除装置１について説明する。生物排除装置１は、排除対象生物に対して、超音波に重畳した音声を直接又は間接的に暴露させるようにしたものである。
【００１６】
生物排除装置１は、  超音波信号創生部１０、排除信号部１２、処理回路部２５、加算部３０、アンプ３５、再生手段４０を備えている。なお、アンプ３５は、必須の構成ではない。
【００１７】
超音波信号創生部１０は、１５ｋＨｚ以上の超音波帯域の信号を創生する発信回路部として機能している。超音波信号創生部１０で創生された信号周波数がキャリア信号として使われる。
【００１８】
排除信号部１２は、発信回路部Ａ２０および発信回路部Ｂ２２の集合体として構成される。
発信回路部Ａ２０では、排除対象生物の生の原音声信号（排除対象生物用音声信号）が保存されており、排除対象生物に応じた音声を入力しておく部分である。
発信回路部Ｂ２２は、発信回路部Ａ２０に保存されている排除対象生物用音声信号を元にして、ホワイトノイズを用いて、生音声の特徴ある排除対象生物の原音声及び原音声の特徴的な音響特性を用いて再生できるように作成した疑似音声（擬似音声信号）の保存領域部である。
【００１９】
処理回路部２５は、代表的な排除を促す音声パターン（第１音声パターン）の周波数特性と、警戒から排除を行わせる複数の疑似音声パターン（第２音声パターン）の周波数特性と、を作成及び保存しておくことで、生音声との自由な組み合わせ出力をランダム出力するものである。つまり、処理回路部２５は、第１音声パターンと組み合わせる第２音声パターンを選択し、選択した第２音声パターンと第１音声パターンとを自動的に組み合わせ処理を行い、ランダム出力するようになっている。
【００２０】
加算部３０は、排除信号部１２の音声と超音波信号創生部１０とを結合する部分として機能し、それぞれから出力された信号を変調波形によって振幅変調する。
アンプ３５は、加算部３０で振幅変調された信号の音圧レベルを増幅するものである。
再生手段４０は、アンプ３５で増幅された信号を音声等として再生し、離れた場所に伝送するものである。再生手段４０は、公知であるパラメトリックスピーカと同等の働きをさせるために、高い音圧レベルを放射させるようにすることが望ましい。
【００２１】
ここで、排除対象生物としてカラスを排除する場合について説明する。
音声コミュニケーションを用いている動物や集団行動をする動物の場合には、仲間を誘導するための音声コミュニケーションを利用していることが知られている。
カラスは、発達した聴覚構造と咽頭構造を有しており、複数の鳴き声を利用し、仲間同士で高等な音声コミュニケーションを行うことが知られている。また、カラスは、大きくハシブトカラスとハシボソカラスの２種類に分類され、それぞれで利用している音声の周波数帯域が異なっている。
【００２２】
図２は、２種類のカラスの音声の時間波形例を説明するための説明図である。図２（Ａ）がハシボソカラスの音声の時間波形例を、図２（Ｂ）がハシブトカラスの音声の時間波形例である。なお、図２において、縦軸は周波数（ｋＨｚ）を、横軸は時間（ＳＥＣ）を、それぞれ示している。また、図２に示す特性は、あくまでも２種類のカラスの音声の一例であり、カラスの行動内容によっては数十種類の周波数特性を有している。
【００２３】
図２から、音声として出ている周波数帯域が、カラスの種類によって異なることが分かる。図２では、「警戒から回避行動」時までに発する音声の分析結果例を示している。そして、「警戒時→回避準備時→回避行動時」が一連の音声例であり、これ以外にも複数の組み合わせによる音声パターンを有している。
【００２４】
生物排除装置１では、排除対象生物（害獣）と想定したカラスの原音声の、「警戒時→回避準備時→回避行動時」及び「恐怖時」に発する音声のいずれか（単体）、又はいずれかが組み合わせられた時に発する音声パターンを用いるようにしている。図２から、カラスの種類の違いにより、発生する音声の周波数帯域が異なっていることがわかる。そこで、これらの音声パターンによる「生」の音声を使用することで、音声の意味がカラスにとっては確実であり、この音声を用いることで、カラスの排除行動を確実に行わせることができる。
また、実際の環境下では２種類のカラスが混在していることがある。そのため、生物排除装置１では、両種類の「生」の音声を保管して、適当な時間間隔でランダム再生すれば、どちらの種類に対しても効果を発揮することができる。
【００２５】
図３は、カラスの警戒から回避行動までを行わせるための疑似音声例を説明するための説明図である。図３（Ａ）がハシボソカラスの警戒から回避行動までを行わせるための疑似音声例を、図３（Ｂ）がハシブトカラスの警戒から回避行動までを行わせるための疑似音声例である。なお、図３において、縦軸は周波数（ｋＨｚ）を、横軸は時間（ＳＥＣ）を、それぞれ示している。
【００２６】
図３に示す疑似音声では、生音声の回避準備は無くし、警戒から回避行動までを行わせるように組み合わせており、どちらの種類のカラスに対しても音声発生時間は０．５秒以内にしている。これは、カラスの行動に余裕を持たせないことを狙ったものである。こうすることにより、カラスにとって非常に大きな恐怖を生じさせることができ、すぐに逃げさせる（回避させる）ことができるようになる。
【００２７】
図２の音声特性を解析して、特徴ある周波数を取り出してカラスの種別で音声を作成した場合は下記のようになる。
＜ハシボソカラスの疑似音声の場合＞
「警戒」の領域では、
８００Ｈｚ〜１．５ｋＨｚ、２．２ｋＨｚ〜３．８ｋＨｚ、５．５ｋＨｚ〜６．２ｋＨｚを一つの音声再生幅とし、一つの音声再生時間幅を０．０５秒として一つの帯域を構成する。
帯域間の消音域は、０．０１秒であり、前記帯域を４回再生して０．２秒以内とする。
【００２８】
「回避行動」の領域では、
１．１ｋＨｚ〜２．０ｋＨｚ、２．５ｋＨｚ〜３．５ｋＨｚ、５．２ｋＨｚ〜７ｋＨｚを一つの音声再生幅とし、一つの音声再生時間幅を０．０５秒として一つの帯域を構成する。
帯域間の消音域は０．０１秒であり、前記帯域を４回再生して、０．２秒以内とする。
なお、３．５ｋＨｚ〜５．２ｋＨｚの間は、約４００Ｈｚ間隔でビブラートをかけている。
【００２９】
＜ハシブトカラスの疑似音声の場合＞
「警戒」の領域では、
４００Ｈｚ〜１．８ｋＨｚ、２．２ｋＨｚ〜３．０ｋＨｚを一つの音声再生幅とし、一つの音声再生時間幅を０．０５秒として一つの帯域を構成する。
帯域間の消音域は、０．０１秒であり、前記帯域を４回再生して０．２秒以内とする。
【００３０】
「回避行動」の領域では、
３５０Ｈｚ〜１．５ｋＨｚ、２．２ｋＨｚ〜３．０ｋＨｚ、４．０ｋＨｚ〜４．２ｋＨｚを一つの音声再生幅とし、一つの音声再生時間幅を０．０８秒として一つの帯域を構成する。
帯域間の消音域は、０．０１秒であり、前記帯域を４回再生して、０．３２秒以内とする。
なお、１．５ｋＨｚ〜２．２ｋＨｚの間は、約２００Ｈｚ間隔でビブラートをかけている。
【００３１】
両者の音声は、聞いた感じを記載すると「カッ、カッ、カッ、カッ」と、非常に短い音声再生を複数繰り返して一つの音声としており、連続性のある音声にはなっていないのが「警戒」関連の音声の特徴である。
図３に示す疑似音声は、本来のカラスの音声を解析して作り上げているが、本来の音声と比較して、比較的低い周波数帯域で音圧レベルが高い場合がハシブトカラスの種、高い周波数帯域まで再生しているのはハシボソカラスの種であり、２種類のカラスの音声は異なる周波数帯域で再生していることになる。
【００３２】
高等な音声パターンを有するカラス等の場合は、回避行動までを行わせる音声パターンは複数あるので、全ての音声を作成、保存することは困難となる。よって、生物排除装置１では、元音声を利用して、疑似的な音声を複数個作成して保存することで、「慣れ」に対する問題を解決するようにしている。
【００３３】
上述したように、生物排除装置１は、処理回路部２５により、代表的な排除を促す音声パターン（第１音声パターン）の周波数特性と、警戒から排除を行わせる複数の疑似音声パターン（第２音声パターン）の周波数特性と、から生音声との自由な組み合わせ出力をランダム出力可能になっている。
なお、生物排除装置１では、発信回路部Ａ２０及び発信回路部Ｂ２２に保存している一つ当たりの音声パターンの長さは、最大で５秒以下とし、長い時間聞かせることによる音の慣れについても防止している。
【００３４】
なお、図２に示す通り、カラスの場合の音声の周波数特性は、５００Ｈｚ以上から３ｋＨｚまでの中帯域であり、人間の可聴周波数帯域に含まれることになり、人間に認識できるレベルである。
よって、単純に、例に示したカラスの音声パターンを再生すると、人間にも聞こえることになってしまう。
また、自然界におけるカラスの音声（鳴き声）の音圧レベルは、例えば、カラスと計測器の距離が１０ｍであった場合でも７０ｄＢ〜８０ｄＢを有しており、非常に高い音圧レベルを有している。
【００３５】
排除信号部１２の音声パターンの出力レベル（音声レベル）も、確実な回避行動を行わせるためには、実際にカラスが発生する音声と同等以上の音圧レベルで放射を行う必要がある。
【００３６】
図４は、信号処理の一連の処理状態例を説明するための説明図である。図４に基づいて、信号処理の一連の処理状態の一例について説明する。
【００３７】
超音波を搬送信号として利用する再生方式としては、パラメトリックスピーカ手段があり、これは公知でもある。公知のパラメトリックスピーカは、人間対象のために、ノイズのない音を提供することを目的としている。そのために、公知のパラメトリックスピーカは、デジタル信号処理により振幅変調の問題点を解決して再生している。
生物排除装置１では、振幅変調としての問題点を利用して、カラスの音声と一緒に再生するようにしている。
なお、上記問題点とは、外来ノイズによるパルス性ノイズである。
【００３８】
振幅変調では、復調時にビート現象が発生して、超音波と音声の二つの信号が「うなり」的に発生する場合もある。「うなり」として発生する音声と超音波の２波が、再生手段４０から再生されて伝送先のカラスに衝突したときに復調して音声部分がカラスに暴露する。音声以外に、後述する高い音圧レベルの超音波も暴露されることになるので、カラスにとっては、自然界で経験的に浴びている可聴域の音声以外に、自然界で浴びたことのない超音波の高い音圧レベルにも暴露することになる。
【００３９】
高い音圧レベルの超音波は、医療にも使われていることは周知であり、肉体的な振動として感じる。つまり、高い音圧レベルの超音波は、カラスに排除を促す音声のほかに、カラスに経験したことのない超音波の圧力変動を受けさせることで、カラスに対して不快な影響を与えることになる。
また、外来ノイズによるパルス的なノイズは、高い音圧レベルのインパクト信号としてカラスに直接暴露することになる。
【００４０】
図５は、カラスが聞くことになる復調後の波形例を説明するための説明図である。図５に基づいて、カラスが聞くことになる復調後の波形例について説明する。
【００４１】
連続信号による音声の中に不定期にパルス性の信号音が発生して、カラス等の動物に浴びせられることになる。そのため、高等なコミュニケーションを行っている動物にとっては、不快なインパルス音として提供されることになる。
また、振幅変調は簡単な回路構成で構成できるので、安価に回路が成形できると共に、屋外等に設置した場合には、デジタル回路の場合に必要な外来ノイズの強力な対策構造や回路構成、回路に見られる複雑な回路設定等も必要ない。そこで、生物排除装置１では、デジタル処理を必要としない構成を採用し、回路に対するコストメリットも大きいという特徴を持っている。
【００４２】
上述したように、再生手段４０は、高い音圧レベルを放射させる必要がある。これは、住宅街等でカラスの排除を行う場合、一般的なスピーカによる再生方法では、住宅街の住民に対してもカラスの音声が暴露されることになる。その場合は、カラスの音声を聞いた人間にとっては単なる「騒音」である。
【００４３】
よって、人間には不快感を与えさせないために、生物排除装置１では、超音波搬送によって、カラスだけに対して音声を暴露させるようにしている。
しかしながら、公知である一般的なパラメトリックスピーカは、目的とする場所に対してのみ「音響信号」を提供するものであり、パラメトリック方式としては、非常に指向性が狭いという特性がある。また、パラメトリックスピーカのための素子の構造が専用でないために、高い音圧レベルで音放射を行うための振動板等の振幅を作れないなどの短所を有している。そのため、従来は目的とする場所にだけ音の提供を人間が聞こえる程度の音圧レベルで提供する程度のものであった。
【００４４】
ただし、排除対象生物の一例であるカラスを対象にした場合、カラスの「ねぐら」や「えさ場」等に集まる個体数は、非常に多く、上記の場所での排除を目的とする場合には、広い範囲（幅のある範囲）に、且つ大きな音圧レベルでの音声の放射が必要になっている。
この場合に、指向性がある程度広げられる中低域用の一般的なスピーカでの音放射が有利であるが、カラスの発音の音圧レベルと同等以上の音圧レベルを広い範囲で放射すると、当然、人間にも暴露されるので、先述の通り、「騒音」として人間に不快を与えてしまうことになる。
【００４５】
以上のことから、目的とする場所に対して、つまりは離れたところに集団で居るカラスに対して、排除に必要な音声を、超音波をキャリアとして大音圧で送ると共に、成るべく広い（幅のある）指向性で音声を提供できるようにすることが重要になる。
そこで、生物排除装置１によれば、離れたところに対して、広い範囲で目的の音声を送ることができるようになっているので、カラス以外の周辺の住宅街等の住民（人間）に対して音（音声）が暴露されることがなく、騒音問題は発生しない。
【００４６】
図６は、生物排除装置１の再生手段４０の一例を説明するための概略構成図である。図６では、再生手段４０の一例として、空中超音波発振子４１を複数個用いたものを図示している。図６（Ａ）が空中超音波発振子４１の単体構造の概要を示し、図６（Ｂ）が複数個の空中超音波発振子４１の組み合せ例を示している。
【００４７】
図６（Ａ）に示すように、空中超音波発振子４１の単体構造において、空中超音波発振子４１の基本的な構成要素は、ホーン部６０、圧電素子のＰＺＴ部６１、ＰＺＴを固着する台座６２、ＰＺＴ６１に電圧供給するための電極６３である。生物排除装置１では、高い音圧レベルで音放射し、且つ広い指向性を持たせるために、空中超音波発振子４１の共振周波数としては１５ｋＨｚ前後を用い、且つ、音を放射する空中超音波発振子４１のホーン部６０を大型化した構造を採用している。
【００４８】
また、ＰＺＴ部６１の厚みを増すことで圧電作用を起こさせるための印加電圧耐圧を高くできるようにしている。さらに、ＰＺＴ部６１の一次振動成分である共振時（例えば、１５ｋＨｚにおいて）の振動モードの密（腹）部分全体にホーン部６０を固着して、一次の振動伝搬したホーン部６０の全体から音放射させるようになっている。この構造により、空中超音波発振子４１への入力電圧を高くすることができ、空中超音波発振子４１の固有振動の変位量を大きく振動させることが可能となる。
【００４９】
図６（Ｂ）に示すように、強い音圧レベルを放射する手段の一つとして、空中超音波発振子４１の密集隊形がある。一つの空中超音波発振子４１での入力電圧に対するホーン部６０から放射される音圧レベルは、ホーン部６０の中心軸上３０ｃｍで約１００ｄＢ前後である。ホーン部６０の略全体が振動することで、ホーン部６０の全体から直線的に超音波の信号が空中に一直線的に放射する。
【００５０】
この空中超音波発振子４１を複数個集めて、且つ、密集隊形としたのが図６（Ｂ）に示す構成例である。平面視が丸いホーン部６０の円弧部分を密集させる手段として、複数個の空中超音波発振子４１による三角配置が不要な隙間を作らないことになるので、非常に効率的な密集隊形が形成できる。密集した各々のホーン部６０から一直線的に放射音が軸上に密集放射することになるので、図６（Ｂ）の構成における中心軸上３０ｃｍの位置で音圧レベルを測定すると約１３０ｄＢ前後となる。
【００５１】
図７は、図６（Ｂ）に示した空中超音波発振子４１の集合体を一つの放射エリアとして、放射エリアの塊を４個集合させた空中超音波発振子４１の組み合せ例を示す概略構成図である。図７に基づいて、放射エリアの塊を４個集合させた空中超音波発振子４１の組み合せ例について説明する。
【００５２】
放射エリアの塊を４個集合させる場合、図７に示すように、放射エリアを放射エリアＡから放射エリアＤとして組み合せることが考えられる。上述したように、一つの放射エリアで得られる音圧レベルが１３０ｄＢ／３０ｃｍであるので、複数個の放射エリアの組み合わせにより、軸上３０ｃｍで１５６ｄＢ前後の音圧レベルの放射音圧を得られることになる。放射面積の拡大により、一つの放射エリアから直線的に音放射が行われることになるので、音声の放射エリアを広げることができるという結果が得られる。なお、指向特性については、後述する図１１に示す。
【００５３】
図８は、１５ｋＨｚのランジュバン素子（図示せず）と、このランジュバン素子に取り付けられ、このランジュバン素子に同期して分割共振するように形成した凸部形状を成形した例えば方形の振動板１００と、を搭載したランジュバン式の発振方式を説明するための説明図である。図８に基づいて、ランジュバン式の発振方式について説明する。
【００５４】
ランジュバン素子は、複数枚の圧電素子（ＰＺＴ）を積層して構成した超音波素子であり、高い入力電圧が入力できる構造的な利点を有している。ランジュバン素子が１５ｋＨｚの共振周波数振動したときに、その振動は振動板１００に固体伝搬する。固体伝搬した共振周波数は、振動板１００内を伝搬し、振動板１００は、１５ｋＨｚの波長に応じた振動モードを持つ。
【００５５】
この振動モードに応じるように、振動板１００の表面に、１５ｋＨｚの波長に一致させる凸部１０２を複数形成している。具体的には、凸部１０２は、振動板１００が有する振動モードの腹と一致した距離寸法で形成されている。ランジュバン素子の振動が振動板１００に伝搬して、ランジュバン素子と振動板１００とが共振を起こすと、振動板１００に設けた複数の凸部１０２が振動振幅を起こす。こうすることで、振動板１００の凸部１０２から均一に音放射をすることができる。
【００５６】
また、各凸部１０２の間隔は、１５ｋＨｚの波長の腹と一致させる。１５ｋＨｚの一波長は２２ｍｍで、半波長は１１ｍｍ、その半分（λ／４）毎に振動の「腹」及び「節」が発生する。最大振幅は、ふた山あるので、その場所に凸部１０２を設ければよい。凸部１０２一つあたりの径はφ６程度とする。こうすれば、複数の凸部１０２を形成した振動板１００の面積全体から音放射が行われることになるので、広い指向特性を有することが可能になる。
【００５７】
図９は、生物排除装置１の再生手段４０の他の一例を説明するための概略構成図である。図９では、再生手段４０の一例として、制振機能付きドーム型スピーカ７０（以下、単にスピーカ７０と称する）の構造概要を図示している。図９に基づいて、スピーカ７０について説明する。
【００５８】
図９に示すように、スピーカ７０は、ドーム振動板７１、エッジ部７３、及び、台座７４を有している。
ドーム振動板７１は、エッジ部７３を介して台座７４の任意位置に固定される。ドーム振動板７１は、断面形状がドーム状に構成され、不要な振動を制御するために少なくとも一部に制振材７２が塗布されている。
エッジ部７３は、台座７４のドーム振動板７１の周囲に設けられ、自由振動することができるように構成されている。そのため、ドーム振動板７１は、電極７５に入力した音声信号に応じて駆動することが可能になっている。
台座７４は、ドーム振動板７１及びエッジ部７３を支持するものである。
【００５９】
音声信号は、電極７５を介してドーム振動板７１を駆動させるボイスコイル（図示せず）に伝送される。この音声信号は、ドーム振動板７１を駆動させると共に、入力に応じた変位量を自由振動するエッジ部７３によって得ることができる。そのため、アンプ３５から供給した強力な入力電圧により、大きな振動振幅が得られると共に、複数のドーム振動板７１の配置構成により、高い音圧レベルと広い指向性が得られる。すなわち、このような構造のスピーカ７０を複数個用いることで、広い指向性の音放射が可能となる。
【００６０】
一般的なドームスピーカの振動板は、振動板が分割振動することで、比較的広い周波数帯域（例えば、８ｋＨｚ〜１５ｋＨｚなど）の音が発振できる。しかし、振動板が広い周波数で振動するということは、１５ｋＨｚの搬送波の超音波以外に、他の周波数も同時に発生するということでもある。そのため、超音波に重畳した音声が空間伝搬する前に、振動板の振動による音放射が振動板のところで鳴り響くことになってしまう。
【００６１】
そこで、生物排除装置１では、スピーカ７０のドーム振動板７１の不要な振動を制御するために、ドーム振動板７１の一部に制振材７２を塗布している。これにより、ドーム振動板７１のドーム先端部だけが振動することになる。そのため、制振材７２を塗布してない面積が１１ｍｍあれば、図８の凸部１０２と略同等寸法となり、制振材７２を塗布していない面積の部分から音放射が行われる。
【００６２】
図１０は、１５ｋＨｚで駆動するように構成した各々の再生手段４０の出力−音圧周波数特性を示すグラフである。図１０に基づいて、１５ｋＨｚで駆動するように構成した各々の再生手段４０の出力−音圧周波数特性の一例について説明する。図１０では、縦軸が出力音圧周波数特性（ｄＢ）を、横軸が周波数（Ｈｚ）を、それぞれ示している。また、点線は、何れの方式でも得られた再生手段４０の共振特性の一例を示し、実線は、各々の再生手段４０で駆動させた場合の周波数特性の一例で、駆動する部分の中心から３０ｃｍ離れた位置での再生周波数帯域を示している。
【００６３】
図１０の点線から、キャリアの超音波の周波数である１５ｋＨｚで再生手段４０が共振することがわかる。
また、図１０の実線から、カラス対応の音声に対応した周波数の８００Ｈｚ前後から１５ｋＨｚ前後までが、最大１５６ｄＢ以上の音圧レベルで駆動及び再生していることがわかる。
【００６４】
図１１は、再生手段４０で再生したときの指向特性を説明するための説明図である。図１１に基づいて、再生手段４０で再生したときの指向特性について説明する。
【００６５】
カラス等の排除を考慮する場合、例えば、カラス等が鉄塔等に止まっているときには、カラス等が広い面積で滞在していることがほとんどであり、広い面積で音声を放射しなければ、音声の到達しないところのカラスは排除できないことになる。
【００６６】
図１１に示す点線は、公知のパラメトリックスピーカによる指向特定を示すものであり、指向性が狭い（中心から２０度以内）ことがわかる。そのため、カラスへの音声暴露範囲が狭く、排除効果があまり得られない。
それに対し、図１１に示す実線は、生物排除装置１による指向特性を示すものであり、音声の再生エリア（＝指向性）は中心から１００度前後の範囲に広がっていることがわかる。そのため、生物排除装置１によれば、「ねぐら」など、集団で集まるカラス等の排除対象生物に対して、広い範囲に音声暴露ができ、高い排除効果が得られやすくなる。
【００６７】
以上のように、生物排除装置１では、排除対象生物の危険時や恐怖時に発する音声又は危険時や恐怖時に発する音声の周波数パターンを用いて作成した人工音声を超音波に重畳させて排除対象生物に直接的に暴露するので、排除対象生物の本能に直接訴える手段で害獣対策を行うことができる。そのため、生物排除装置１によれば、排除対象生物の行動パターンを知らずに作成した人工的な音響信号を用いた従来品とは異なり、音声を発信する製品そのものの寿命が迎えるまでの長期間に亘って、害獣（有害動物）の排除を行うことが可能になる。
【００６８】
なお、生物排除装置１をカラスの排除に用いた場合を例に説明したが、それに限定するものではない。生物排除装置１によれば、排除対象生物の音声を超音波に重畳させて再生することで、必要な場所に必要な音声を確実に適用することができる。そのため、害鳥として問題が多い、ムクドリや鳩などにも適用できる。更には、生物排除装置１によれば、音声の代わりに、ランダム変化する超音波を、キャリア用の超音波に重畳させても、離れたところにランダムに変化する超音波が広い指向特性で伝搬する。そのため、強力な音圧レベルによる超音波を暴露できるので、超音波が聞こえる猫や犬などの哺乳類に対しても同等の効果が期待できる。
【００６９】
また、再生手段４０から超音波に重畳した排除用音声が、再生手段４０から離れたカラス等の排除対象生物に伝搬して排除対象生物に衝突したときに、超音波に含まれている排除用の音声と、更には高い音圧レベルの超音波信号も同時に復調する。そのため、生物排除装置１を設置している環境の全域に高い音圧レベルの音声が常に聞こえることはない。生物排除装置１によれば、再生手段４０の近傍にある家屋内に音声が暴露されるということの心配は無い。よって、静かな音放射によって、排除対象生物の排除が可能となる。
【００７０】
実施の形態２．
図１２は、本発明の実施の形態２に係る生物排除装置１の構成の一例を説明するための概略構成図である。図１２に基づいて、実施の形態２に係る生物排除装置１について説明する。なお、実施の形態２に係る生物排除装置１の基本的な構成は、実施の形態１に係る生物排除装置１の構成と同様である。また、実施の形態２では実施の形態１との相違点を中心に説明し、実施の形態１と同一部分には、同一符号を付して説明を省略するものとする。また、実施の形態１と同様の構成部分について適用される変形例は、本実施の形態２についても同様に適用される。
【００７１】
図１２に示すように、実施の形態２に係る生物排除装置１は、各種再生手段４０の近傍（音声の放射方向）に、一つ以上の反射板８０を備えている。こうすることによって、実施の形態２に係る生物排除装置１は、音声の指向性を広げるようにしている。なお、図１２では、図６（Ｂ）で説明した一つの集合体の再生手段４０を二つのエリアとして表記している例を示している。
【００７２】
キャリアとなっている超音波は、剛体に衝突した場合に、反射して別の方向に音声を伝搬できる特性も有する。その場合の反射面での角度は光と同等の特性であり、入出射角は９０度の入出力角度の関係を持つ。よって、複数の反射面を持たせることができれば、３６０度方向への音放射が可能になる。そのため、複数の反射面を持たせれば、音声の提供を必要とする場所の状況によっては、無指向性の音響放射特性を有することができることになる。
【００７３】
例えば、公共のごみ置き場等でカラスを排除することを目的とする場合などでは、中心となる部分に反射板８０および再生手段４０を設置して、その周りに家庭用のごみを置くようにするとよい。こうすることで、ごみ置き場全体を、カラス等の排除対象生物から保護することができる。
【００７４】
以上のように、実施の形態２に係る生物排除装置１では、排除対象生物の危険時や恐怖時に発する音声又は危険時や恐怖時に発する音声の周波数パターンを用いて作成した人工音声を超音波に重畳させて排除対象生物に間接的に暴露するので、排除対象生物の本能に直接訴える手段で害獣対策を行うことができる。そのため、生物排除装置１によれば、排除対象生物の行動パターンを知らずに作成した人工的な音響信号を用いた従来品とは異なり、音声を発信する製品そのものの寿命が迎えるまでの長期間に亘って、害獣（有害動物）の排除を行うことが可能になる。
【符号の説明】
【００７５】
１  生物排除装置、１０  超音波信号創生部、１２  排除信号部、２５  処理回路部、３０  加算部、３５  アンプ、４０  再生手段、４１  空中超音波発振子、６０  ホーン部、６１  ＰＺＴ部、６２  台座、６３  電極、７０  制振機能付きドーム型スピーカ、７１  ドーム振動板、７２  制振材、７３  エッジ部、７４  台座、７５  電極、８０  反射板、１００  振動板、１０２  凸部、Ａ２０  発信回路部、Ｂ２２  発信回路部。
【図１】
0005976039.tif 000002
【図２】
0005976039.tif 000003
【図３】
0005976039.tif 000004
【図４】
0005976039.tif 000005
【図５】
0005976039.tif 000006
【図６】
0005976039.tif 000007
【図７】
0005976039.tif 000008
【図８】
0005976039.tif 000009
【図９】
0005976039.tif 000010
【図１０】
0005976039.tif 000011
【図１１】
0005976039.tif 000012
【図１２】
0005976039.tif 000013